(57)【要約】  本発明は、信号処理パッケージ２００＿３において、この信号処理パッケージ２００＿３で扱われるデータを処理する処理装置の全体に対し、その処理装置における処理実行の全体的な負荷の大小に応じた電力を供給する大ＯＢＰ２２１と、その大ＯＢＰ２２１から上記の処理装置に電力が供給される供給経路の途中で、その処理装置の一部分における局所的な処理実行の負荷の大小に応じた電力をその部分に供給する、上記の大ＯＢＰ２２１の供給電力よりも少ない電力を供給する小ＯＢＰ２２２とを備えた。
2009037757.tif 000002
【特許請求の範囲】
【請求項１】
データを処理する処理装置の全体に対し、該処理装置における処理実行の全体的な負荷の大小に応じた電力を供給する第１の供給部と、
前記第１の供給部から前記処理装置に電力が供給される供給経路の途中で、該処理装置の一部分における局所的な処理実行の負荷の大小に応じた電力をその部分に供給する、前記第１の供給部の供給電力よりも少ない電力を供給する第２の供給部とを備えたことを特徴とする電源装置。
【請求項２】
前記処理装置が、各々が処理を行う複数の処理部を備えたものであり、
前記第２の供給部が、前記複数の処理部それぞれに対応した、該複数の処理部それぞれに電力を供給する複数の群を構成し、異なる群に属する第２の供給部同士は、同じ群に属する第２の供給部同士よりも電気的に弱く結合されていることを特徴とする請求項１記載の電源装置。
【請求項３】
前記第１の供給部と前記第２の供給部とが、１つの基板の表裏面に別々に搭載されたものであることを特徴とする請求項１又は２記載の電源装置。
【請求項４】
データを処理する処理装置；および、
前記処理装置の全体に対し、該処理装置における処理実行の全体的な負荷の大小に応じた電力を供給する第１の供給部と、
前記第１の供給部から前記処理装置に電力が供給される供給経路の途中で、該処理装置の一部分における局所的な処理実行の負荷の大小に応じた電力をその部分に供給する、前記第１の供給部の供給電力よりも少ない電力を供給する第２の供給部とを備えた電源装置；
を備えたことを特徴とする電子機器。
【発明の詳細な説明】
【技術分野】
【０００１】
本発明は、処理装置に電力を供給する電源装置、および、そのような電源装置を搭載した電子機器に関する。
【背景技術】
【０００２】
従来から、通信機器やサーバ機器などといった電子機器には、各種処理を実行するＩＣ等に電力を供給する電源装置が備えられている。この電源装置に対しては、常に安定した電力を供給することが求められており、特に、ＩＣ等に出力される出力電圧を一定に調整することが要求されている。【０００３】
図１は、電子機器に電力を供給する電源装置の概略構成図である。【０００４】
この図１に示す電源装置１０は、増幅器や比較器などといったアナログ素子を利用してＩＣ等への出力電圧を制御するアナログ制御方式の電源装置である。【０００５】
電源装置１０には、電圧検出回路１１、誤差増幅器１２、補償回路１３、基準発振器１４、比較器１５、スイッチ素子１６、および平滑フィルタ１７などが備えられている。【０００６】
まず、電圧検出回路１１において、現時点に電源装置１０からＩＣ等に向けて出力される電源出力電圧Ｖｏｕｔが検出され、検出された出力電圧Ｖｏｕｔが誤差増幅器１２に伝えられる。誤差増幅器１２では、出力電圧Ｖｏｕｔと基準電圧Ｖ０との差分が増幅されて出力され、補償回路１３では、誤差増幅器１２から出力された増幅電圧Ｖｇが比較器１５の感度に適した値に調整される。【０００７】
基準発振器１４では、一定の周波数ごとに鋸状波の電圧信号Ｖｐが出力される。比較器１５では、基準発振器１４から発せられる鋸状波の電圧信号Ｖｐが、補償回路１３で調整された増幅電圧Ｖｇと比較され、鋸状波の電圧信号Ｖｐが増幅電圧Ｖｇよりも小さい間は「ＯＮ」となり、それ以外は「ＯＦＦ」となる制御信号がスイッチ素子１６に伝えられる。【０００８】
スイッチ素子１６では、比較器１５から伝えられた制御信号によってＯＮ／ＯＦＦが制御されることにより、電源装置１０に入力された入力電圧Ｖｉｎのパルス幅が調整され、平滑フィルタ１７において平滑処理が実行される。その結果、電源装置１０から電子機器に、電圧値が調整された出力電圧Ｖｏｕｔが出力される。例えば、電圧検出回路１１で検出された出力電圧Ｖｏｕｔが低下すると、誤差増幅器１２において算出される出力電圧Ｖｏｕｔと基準電圧Ｖ０との誤差が大きくなる。その結果、鋸状波の電圧信号Ｖｐが増幅電圧Ｖｇよりも小さくなって、比較器１５から発せられる制御信号の「ＯＮ」時間が長くなり、入力電圧Ｖｉｎのパルス幅が長く調整されることによって、出力電圧Ｖｏｕｔが上昇する。【０００９】
電源装置１０では、以上のようにして、処理部に出力される出力電圧が一定となるように制御される。【００１０】
ここで、電子機器では、電子機器を構成する各種部品やＩＣ等それぞれが、電力の供給をうけて動作している。これらの部品やＩＣ等では、各々が分担する処理における負荷の多寡によって消費電力が変化する。このような個別の負荷変動が、緩やかなものである場合には、１つの電源装置での包括的な制御により、各部品やＩＣ等での負荷変動を吸収して各部品やＩＣ等に印加する電圧を一定に保つことで必要な電力を供給し続けることが出来る。しかし、電子機器のうち通信機器やサーバ機器などでは、通信のトラフィック状態に連動して、通信処理を実行するＩＣ等での負荷が急激に変動してしまうことがあり、１つの電源装置での包括的な制御では、そのような局所における急激な負荷変動を吸収することが難しい。【００１１】
そこで、上記のような電源装置を複数用意し、各電源装置を、電子機器を構成する各種部品やＩＣ等それぞれの近傍に１つ以上並べて配置し、それら近傍に配置された電源装置によって、各種部品やＩＣ等それぞれに印加する電圧を個別に制御することで局所的な負荷変動を個別に吸収して、必要な電力の供給を個別に維持するという技術が提案されている（例えば、特許文献１参照。）。
【特許文献１】米国特許第６６４６４２５号明細書
【００１２】
しかしながら、特許文献１に開示されている技術によって各種部品やＩＣ等それぞれに印加する電圧を個別に制御しても、ある電源装置の制御対象に隣接する部品等での負荷変動が大き過ぎるような場合には、その制御対象外の部品での負荷変動に引きずられて、自分の制御対象に対する正常な電力供給を維持しきれなくなるという問題が度々発生している。【００１３】
本発明は、上記事情に鑑み、電子機器を構成する各種部品やＩＣ等それぞれに対する電力供給を良好に行うことができる電源装置、および、そのような電源装置を搭載した電子機器を提供することを目的とする。
【発明の開示】
【００１４】
上記目的を達成する本発明の電源装置は、
データを処理する処理装置の全体に対し、その処理装置における処理実行の全体的な負荷の大小に応じた電力を供給する第１の供給部と、
上記第１の供給部から上記処理装置に電力が供給される供給経路の途中で、その処理装置の一部分における局所的な処理実行の負荷の大小に応じた電力をその部分に供給する、上記第１の供給部の供給電力よりも少ない電力を供給する第２の供給部とを備えたことを特徴とする。
【００１５】
この本発明の電源装置によれば、上記処理装置における局所的な処理部において他の処理部への電力制御に影響を及ぼしかねない大きな負荷変動が生じた場合でも、この変動における大部分が、相対的に供給電力が大きい大容量の上記第１の供給部による包括的な電力制御によって吸収される。これにより、相対的に小容量の上記第２の供給部による局所的な電力制御が、その第２の供給部による電力供給対象となっている処理部以外の処理部での負荷変動から受ける影響が抑えられ、各第２の供給部による局所的な電力制御が正常に行われることとなる。つまり、本発明の電源装置によれば、電子機器（処理装置）を構成する各種部品やＩＣ等それぞれに対する電力供給を良好に行うことができる
ここで、本発明の電源装置において、
「上記処理装置が、各々が処理を行う複数の処理部を備えたものであり、
上記第２の供給部が、上記複数の処理部それぞれに対応した、その複数の処理部それぞれに電力を供給する複数の群を構成し、異なる群に属する第２の供給部同士は、同じ群に属する第２の供給部同士よりも電気的に弱く結合されている」という形態は好ましい形態である。
【００１６】
この好ましい形態の電源装置によれば、上記の異なる群に属する第２の供給部同士が電気的に弱く結合されているので、ある群による局所的な電力制御が、別の群から電力を供給される別の処理部での負荷変動の影響を受けることが一層抑制されることになる。
【００１７】
また、本発明の電源装置において、
「上記第１の供給部と上記第２の供給部とが、１つの基板の表裏面に別々に搭載されたものである」という形態も好ましい形態である。
【００１８】
この好ましい形態の電源装置によれば、上記第１の供給部および上記第２の供給部を各々独立に配置できるので、各供給部を１つの基板上で、一方の供給部の配置を他方の供給部の配置に邪魔されることなく行うことが可能となる。
【００１９】
また、上記目的を達成する本発明の電子機器は、
データを処理する処理装置；および、
上記処理装置の全体に対し、その処理装置における処理実行の全体的な負荷の大小に応じた電力を供給する第１の供給部と、
上記第１の供給部から上記処理装置に電力が供給される供給経路の途中で、その処理装置の一部分における局所的な処理実行の負荷の大小に応じた電力をその部分に供給する、上記第１の供給部の供給電力よりも少ない電力を供給する第２の供給部とを備えた電源装置；
を備えたことを特徴とする。
【００２０】
この本発明の電子機器によれば、この電子機器を構成する各種部品やＩＣ等それぞれに対する電力供給を良好に行うことができる
尚、本発明の電子機器については、ここでは基本形態のみを示すに止めるが、これは単に重複を避けるためであり、本発明の電子機器には、上記の基本形態のみではなく、前述した電源装置の各形態に対応する各種の形態が含まれる。
【００２１】
本発明によれば、電子機器を構成する各種部品やＩＣ等それぞれに対する電力供給を良好に行うことができる電源装置、および、そのような電源装置を搭載した電子機器を得ることができる。
【図面の簡単な説明】
【００２２】
【図１】電子機器に電力を供給する電源装置の概略構成図である。
【図２】本発明の一実施形態が適用された通信ユニットの外観斜視図である。
【図３】電子回路パッケージ２００を構成する保持板２１０の斜視図である。
【図４】保持板２１０に基板２２０が取り付けられた電子回路パッケージ２００の概略図である。
【図５】図２に示す複数の電子回路パッケージ２００のうちの３つの電子回路パッケージ２００＿１，２００＿２，２００＿３の概略的な機能ブロック図である。
【図６】信号処理パッケージ２００＿３における電力供給の流れを説明するための図である。
【図７】処理回路２２８と、処理回路２２８に電力を供給するＯＢＰ２２７、および図５にも示す電力制御部２２６＿３の概略構成図である。
【図８】大ＯＢＰと小ＯＢＰとが基板の同一面上に搭載された様子を示す図である。
【発明を実施するための最良の形態】
【００２３】
以下図面を参照して本発明の実施の形態を説明する。【００２４】
図２は、本発明の一実施形態が適用された通信ユニットの外観斜視図である。【００２５】
この通信ユニット１００は、本発明にいう電子機器の一例に相当し、ネットワークを介してデータの送受信を行うものであり、ユニットカバー１０１、ユニット枠１０２、およびバックパネル１０３と、それらが取り囲む空間内に収容された、処理を実行する複数の電子回路パッケージ２００とで構成されている。【００２６】
バックパネル１０３の内側には、データや電力を伝達するための各種コネクタ（図示しない）が設けられており、これらのコネクタが複数の電子回路パッケージ２００それぞれに設けられたコネクタに嵌合されることによって、複数の電子回路パッケージ２００が相互に接続される。【００２７】
複数の電子回路パッケージ２００は、ネットワークを介して送られてきた通信データに対して順次に処理を実行するものであり、前段の電子回路パッケージ２００における処理実行を受けて、後段の電子回路パッケージ２００における処理実行が開始される。また、各電子回路パッケージ２００は、ＩＣなどが取り付けられた基板２２０（図４参照）と、基板２２０を保持する保持板２１０（図３参照）とで構成されている。【００２８】
図３は、電子回路パッケージ２００を構成する保持板２１０の斜視図であり、図４は、保持板２１０に基板２２０が取り付けられた電子回路パッケージ２００の概略図である。【００２９】
保持板２１０には、保持板２１０を図２のユニット枠１０２に抜差しする際に手でつかむための把持部２１１、電子回路パッケージ２００に電力を投入するための電源コネクタ２１２ａ、基板２２０の反りを防止するための反り防止金具２１３、および各種データを送受信するためのデータ用コネクタ２１２ｂなどが備えられている。【００３０】
図４には、保持板２１０に基板２２０が装着された状態の電子回路パッケージ２００が示されている。図４のパート（ａ）には電子回路パッケージ２００の上面図が示され、パート（ｂ）には電子回路パッケージ２００の側面図が示され、パート（ｃ）には裏面図が示されている。【００３１】
基板２２０には、ＩＣなどといった複数の処理回路が備えられているが、この図４では図示が省略されている。また、基板２２０には、それら複数の処理回路の全体に対し相対的に大きな電力を供給する相対的に大容量の電力供給源（大ＯＢＰ）２２１と、大ＯＢＰ２２１から各処理回路に電力が供給される供給経路の途中で各処理回路に相対的に小さな電力を供給する相対的に小容量の複数の電力供給源（小ＯＢＰ）２２２とが備えられている。つまり、各処理回路に供給される電力は、大ＯＢＰ２２１からの電力と小ＯＢＰ２２２からの電力とが共同して出力する電力となる。ここで、小ＯＢＰ２２２は不図示の処理回路の近傍に１つ以上が並べて配置されるように、基板２２０の上面に、図４のパート（ａ）に示すように分散配置され、大ＯＢＰ２２１は、図４のパート（ｃ）に示すように、基板２２０の裏面の、電源コネクタ２１２ａの近傍に配置されている。ここで、大ＯＢＰ２２１および小ＯＢＰ２２２は、それぞれ本発明にいう第１の供給部および第２の供給部の各一例に相当する。【００３２】
また、本実施形態では、大ＯＢＰ２２１と小ＯＢＰ２２２とが基板２２０の表裏面に別々に搭載されるので、大容量でサイズが大きい大ＯＢＰ２２１と、小容量でサイズは小さいが数が多い複数の小ＯＢＰ２２２とが、基板２２０上で互いの配置を邪魔することなく適宜に配置されている。【００３３】
また、この基板２２０には、大ＯＢＰ２２１および複数の小ＯＢＰ２２２の出力を相互に電気的に並列接続する不図示の電源層が備えられているが、この電源層には、図４のパート（ａ）に示すスリット２２３が設けられている。ここで、各処理回路の周りには、その処理回路に電力を供給する１つ以上の小ＯＢＰ２２２が配置され群をなしている。そして、スリット２２３は、異なる群に属する小ＯＢＰ２２２同士が、同じ群に属する小ＯＢＰ２２２同士よりも電気的に弱く結合されるように、互いに隣接する群の間に設けられている。【００３４】
この基板２２０が保持板２１０に嵌め込まれ、保持板２１０の電源コネクタ２１２ａやデータ用コネクタ２１２ｂが基板２２０に挿し込まれることによって、基板２２０が保持板２１０に装着される。さらに、保持板２１０が図２に示すユニット枠１０２に嵌め込まれてバックパネル１０３のコネクタに接続されることによって、複数の電子回路パッケージ２００同士が相互に接続される。【００３５】
図５は、図２に示す複数の電子回路パッケージ２００のうちの３つの電子回路パッケージ２００＿１，２００＿２，２００＿３の概略的な機能ブロック図である。【００３６】
尚、以下では、３つの電子回路パッケージ２００＿１，２００＿２，２００＿３それぞれを構成する各種要素を、末尾に添えられた数字で区別して説明する。【００３７】
図５には、ネットワーク経由で送信されてきた光データを受信する光インタフェースパッケージ２００＿１と、光インタフェースパッケージ２００＿１で受信された光データをデジタルデータに変換する電気インタフェースパッケージ２００＿２と、電気インタフェースパッケージ２００＿２で変換されたデジタルデータに各種信号処理を施す信号処理パッケージ２００＿３とが示されている。本実施形態においては、図２に示す通信ユニット１００全体に対して電力が投入され、その電力が複数の電子回路パッケージ２００それぞれの大ＯＢＰ２２１および小ＯＢＰ２２２に振り分けられた後、各電子回路パッケージ２００内において、大ＯＢＰ２２１から複数の処理回路２２４に全体的に電力が供給され、各小ＯＢＰ２２２から各処理回路２２４に局所的に電力が供給される。これら複数の処理回路２２４を合せたものが、本発明にいう処理装置の一例に相当する。【００３８】
電気インタフェースパッケージ２００＿２には、処理実行時に処理回路２２４＿２に流れ込んだ電流値を検出する電流検出回路２２５＿２が備えられており、信号処理パッケージ２００＿３には、電気インタフェースパッケージ２００＿２の電流検出回路２２５＿２で検出された電流値を取得し、その取得した電流値に応じて大ＯＢＰ２２１＿３および小ＯＢＰ２２２＿３における電力供給を制御する電力制御部２２６＿３が備えられている。【００３９】
図６は、信号処理パッケージ２００＿３における電力供給の流れを説明するための図である。尚、この図６では、図５に示す電力制御部２２６＿３と複数の処理回路２２４＿３については、図を見やすくするために図示が省略され、大ＯＢＰ２２１＿３と複数の小ＯＢＰ２２２＿３のみが示されている。【００４０】
この図６では、図中右側が電力供給の流れの上流側に相当し、左側が下流側に相当する。信号処理パッケージ２００＿３が備えている図５の各処理回路２２４＿３は、電力が入力される電源端子がこの電源層に接続されており、各処理回路２２４＿３はこの電源層から電力の供給を受けている。そして、大ＯＢＰ２２１＿３は、この電力供給の流れの最上流においてこの電源層に相対的に大きな電力で電圧を印加する。各処理回路２２４＿３は、この大ＯＢＰ２２１＿３による電源層への電圧の印加により、相対的に大きな電力の供給を受ける。【００４１】
ここで、処理回路２２４＿３で負荷が変動すると、その処理回路２２４＿３に流れ込む電流が変動し、結果的に、その処理回路２２４＿３の印加電圧が変動しようとする。【００４２】
本実施形態では、大ＯＢＰ２２１＿３は、図５の電力制御部２２６＿３の制御により、複数の処理回路２２４＿３の間での印加電圧の平均値の変動を抑えるように、電源層に印加する電圧を制御する。つまり、大ＯＢＰ２２１＿３は、このような印加電圧の制御によって、信号処理パッケージ２００＿３における処理実行の全体的な負荷の大小に応じた電力を供給する。しかし、大ＯＢＰ２２１＿３の制御はあくまで平均的であるとともに、大ＯＢＰ２２１＿３が大容量であるために制御スピードが遅く、処理回路２２４＿３毎の負荷変動に応じた速い電圧変動までは、この大ＯＢＰ２２１＿３では抑えきれないことがある。【００４３】
そこで、このような速い電圧変動を各処理回路２２４＿３毎に局所的に抑えて各処理回路２２４＿３に必要な電力供給を行うべく、各処理回路２２４＿３の近傍で電源層に電圧を印加する相対的に小容量の小ＯＢＰ２２２＿３が配置されている。各小ＯＢＰ２２２＿３は、電力供給対象の処理回路２２４＿３での負荷変動による印加電圧の変動を抑えるようにその印加電圧を制御する。このように、各小ＯＢＰ２２２＿３による制御は、処理回路２２４＿３毎の印加電圧に対する制御であるとともに、小ＯＢＰ２２２＿３が小容量であるために制御スピードが速い。このため、大ＯＢＰ２２１＿３では抑えきれない、処理回路２２４＿３毎の速い電圧変動を確実に抑えて、必要な電力供給を維持することができる。一方で、小容量であるために、仮に、制御対象の処理回路２２４＿３以外の処理回路２２４＿３において大きな負荷変動があり、電源層に電力的に大きな電圧変動が発生すると、小ＯＢＰ２２２＿３は印加電圧の制御を正常に行うことができなくなってしまう。しかし、このような電力的に大きな電圧変動は変動のスピードが遅いため、大ＯＢＰ２２１＿３による制御で十分に抑えることが出来る。このように、本実施形態では、大ＯＢＰ２２１＿３による制御と小ＯＢＰ２２２＿３による制御とが互いに補い合って、電源層の電圧を一定に制御することで、各処理回路２２４＿３に対する良好な電力供給が維持されている。【００４４】
さらに、本実施形態では、図４を参照して説明したように、電源層にスリット２２３が設けられている。上述したように、各処理回路２２４＿３の周りには、その処理回路２２４＿３に電力を供給する１つ以上の小ＯＢＰ２２２が配置され群をなしている。そして、スリット２２３は、異なる群に属する小ＯＢＰ２２２同士が、同じ群に属する小ＯＢＰ２２２同士よりも電気的に弱く結合されるように、互いに隣接する群の間に設けられている。このスリット２２３により、異なる群に属する小ＯＢＰ２２２間の電気抵抗が、同じ群に属する小ＯＢＰ２２２間の電気抵抗よりも大きくなり、ある群で電力が供給される処理回路２２４＿３での負荷変動による電源層での電圧変動が別の群に伝わり難くなり、小ＯＢＰ２２２による局所的な電圧制御が行い易くなっている。【００４５】
次に、大ＯＢＰ２２１＿３および小ＯＢＰ２２２＿３における印加電圧の制御について詳細に説明する。尚、大ＯＢＰ２２１＿３および小ＯＢＰ２２２＿３では、制御方式自体は共通であるので、以下では、大小の区別が無い単なるＯＢＰを符号「２２７」を付して以下の図に示して説明を行う。また、このＯＢＰ２２７によって電力の供給を受ける処理回路を符号「２２８」を付して以下の図に示す。【００４６】
図７は、処理回路２２８と、処理回路２２８に電力を供給するＯＢＰ２２７、および図５にも示す電力制御部２２６＿３の概略構成図である。【００４７】
尚、ここでは、処理回路２２８には、説明の簡略化のため、１つのＯＢＰ２２７から電力の供給を受けるものとして説明する。【００４８】
図７に示すように、電力制御部２２６＿３には、ＡＤ（アナログ・デジタル）コンバータ３１１、デジタルフィルタ３１２、ＰＷＭ制御回路３１３、電力制御回路３１４、およびパルス発生器３１５が備えられており、ＯＢＰ２２７には、スイッチ素子３２１、および平滑化フィルタ３２２などが備えられている。【００４９】
処理回路２２８への供給電力を制御するにあたっては、基本的には、従来のアナログの電源装置と同様に、現時点よりも前に供給されていた電力に基づいて、現時点よりも後で供給される電力を制御するフィードバック処理が行われている。【００５０】
まず、ＡＤコンバータ３１１において、現時点よりも前にＯＢＰ２２７から処理回路２２８に印加された電圧が検出され、検出された電圧がデジタル信号に変換されて、デジタルフィルタ３１２に伝えられる。デジタルフィルタ３１２では、検出された電圧と予め設定されている基準電圧との差分が算出され、その差分が平均化されて誤差信号が生成される。ここで、大ＯＢＰについては、デジタルフィルタ３１２では、複数の処理回路２２７それぞれについて検出された印加電圧の平均値が算出され、その平均値を使って上記の誤差信号が生成される。【００５１】
デジタルフィルタ３１２で生成された誤差信号は、ＰＷＭ制御回路３１３に伝えられる。【００５２】
ＰＭＷ制御回路３１３では、パルス発振器３１５から発信されるパルス信号と、デジタルフィルタ３１２から伝えられた誤差信号とに基づいて、電力制御回路３１４から伝えられえた制御値に応じたパルス幅の制御信号が生成され、生成された制御信号がスイッチ素子３２１に伝えられる。【００５３】
スイッチ素子３２１では、ＰＷＭ制御回路３１３から伝えられた制御信号に従ってＯＮ／ＯＦＦが制御され、その結果、入力電圧のパルス幅が調整される。さらに、パルス幅が調整された電圧が平滑化フィルタ３２２を通過することによって、印加電圧が平滑化されて処理回路２２８に電力が供給される。【００５４】
例えば、印加電圧が低下すると、デジタルフィルタ３１２で生成される誤差信号の値が大きくなり、電力制御回路３１４においてパルス幅が長い制御信号が生成される。その結果、スイッチ素子３２１の「ＯＮ」時間が長くなり、印加電圧が上昇する。以上のようにして、フィードバック制御によって処理回路２２８に供給される電力が調整されている。【００５５】
さらに、本実施形態では、電力制御回路３１４には、前段の電気インタフェースパッケージ２００＿２から、その電気インタフェースパッケージ２００＿２の処理回路２２１＿２に流れ込んだ電流値が伝えられる。通常、処理対象である通信データの量が増加するほど処理の負荷が増大し、処理回路に大きな電流が流れ込むことが一般的である。前段の電気インタフェースパッケージ２００＿２に流れ込んだ電流値が伝えられることによって、これから処理回路２２８で実行される処理の負荷を予測することができる。【００５６】
電力制御回路３１４は、ＡＤコンバータ３１１に、電気インタフェースパッケージ２００＿２から取得された電流値が大きいほど大きく検出電圧を減少させ、デジタルフィルタ３１２に、取得された電流値が大きいほど小さい基準電圧を適用させ、ＰＷＭ制御回路３１３に、取得された電流値が大きいほど制御信号のパルス幅を増加させる。その結果、ＯＢＰ２２７による印加電圧が上昇する。【００５７】
このように、本実施形態によると、現時点よりも前の時点に供給されていた電力に基づいて、現時点よりも後に供給される電力が調整されるとともに（フィードバック制御）、前段の電気インタフェースパッケージ２００＿２における処理実行の負荷に応じて電力供給が調整される（フィードフォワード制御）。したがって、処理回路に安定して電力を供給することができ、処理実行の負荷の増大による不具合を軽減することができる。また、上述したように、本実施形態では、相対的に大容量の大ＯＢＰ２２１＿３と相対的に小容量の小ＯＢＰ２２２＿３とで互いに補い合うことで、各処理回路に対する電力供給を良好に行うことができる。【００５８】
尚、上記では、大ＯＢＰと小ＯＢＰとを、図４に示すように基板の表裏面に別々に搭載した例を示したが、本発明はこれに限るものではなく、これら２種類のＯＢＰは、以下に示すように基板の同一面上に搭載しても良い。【００５９】
図８は、大ＯＢＰと小ＯＢＰとが基板の同一面上に搭載された様子を示す図である。【００６０】
この図８には、大ＯＢＰ４２１と小ＯＢＰ４２２とが共に上面に搭載された基板４２０が、保持板４１０に嵌め込まれてなる電子回路パッケージ４００が示されている。この図８の例では、大ＯＢＰ４２１が、基板４２０の中央に配置されている。さらに、不図示の処理回路がこの大ＯＢＰ４２１の周囲に分散配置され、その配置に倣って、小ＯＢＰ４２２が大ＯＢＰ４２１の周囲に分散配置されている。【００６１】
この図８の例でも、大ＯＢＰ４２１から電源層への電圧の印加ポイントは、この電源層における電力の供給経路の最上流となり、小ＯＢＰ４２２は、この供給経路の途中で電源層に電圧を印加する。【００６２】
また、この図８の例でも、互いに異なる処理回路に電力を供給する複数の小ＯＢＰ４２２が群をなしており、異なる群に属する小ＯＢＰ４２２同士が、同じ群に属する小ＯＢＰ４２２同士よりも電気的に弱く結合されるように、電源層において、互いに隣接する群の間にスリット４２３が設けられている。【００６３】
この図８の例では、大ＯＢＰ４２１と小ＯＢＰ４２２とが基板４２０の同一面に搭載されているため、上述の図４の形態に比べると、配置が制限されるが、相対的に大容量の大ＯＢＰ４２１と相対的に小容量の小ＯＢＰ４２０とで互いに補い合うことで各処理回路に対する電力供給を良好に行うことができることについては、図４の形態と同様である。【００６４】
尚、上記では、電源層を介して処理回路に印加される電圧の昇降を調整することによって、処理回路に供給される電力を制御する例について説明したが、本発明にいう第１の供給部および第２の供給部は、処理回路に供給される電流量を調整することによって、処理回路に供給される電力を制御するものであってもよい。
【図１】
2009037757.tif 000003
【図２】
2009037757.tif 000004
【図３】
2009037757.tif 000005
【図４】
2009037757.tif 000006
【図５】
2009037757.tif 000007
【図６】
2009037757.tif 000008
【図７】
2009037757.tif 000009
【図８】
2009037757.tif 000010
【国際調査報告】
2009037757.tif 000011
2009037757.tif 000012
2009037757.tif 000013